(57)【要約】【課題】ポケットクリップが、筆記動作時や陳列時や文字等の表現時に邪魔になったりすることなく、また、デザイン的にも優れた筆記具を提供する。【解決手段】軸筒１０を、クリップ部１０Ａと軸筒本体１０Ｂとに分割し、クリップ部１０Ａをその係合凸部（揺動中心）１０ａを係合凹部１０ｂに係合させて、軸筒本体１０Ｂによって揺動可能に支持する。環状部１４に嵌めたキャップ１７を後方（矢印Ｆ方向）に押圧すると、クリップ部１０Ａの下端側が前方に揺動してその切断面Ａが、軸筒本体１０Ｂ側の切断面Ｂから離れてスリットが形成される。このスリットにポケットの上端を挿入することにより、筆記具１をポケットに装着することができる。【選択図】図１
2010000603.tif 000002
【特許請求の範囲】
【請求項１】
衣服のポケットに装着するためのクリップ部を有する筆記具において、
軸心を中心としてほぼ筒状に形成された軸筒と、
前記軸心上に配設されるとともに前記軸筒の下端から突出する筆記部によって筆記が可能な筆記ユニットと、を備え、
前記軸筒は、その上端部を、外周面の前側から前記軸心に向かって後方斜め上方に切り上げる第１仮想切断面と前記第１仮想切断面の上端からほぼ上方に向かって切り上げる第２仮想切断面とによって切除されたような形状の前記クリップ部と、前記クリップ部以外の軸筒本体とを有し、
前記クリップ部の上端側の揺動中心を前記軸筒本体の上端側によって揺動可能に支持し、
前記クリップ部側を、その切断面が前記軸筒側の切断面に接触するホームポジションに向けて付勢する付勢部材を設け、
前記クリップ部における前記揺動中心よりも上方に位置する部分を後方に引いたときに前記クリップ部の下端側が前記付勢部材の付勢力に抗して前方に移動し前記クリップ部の下端側と前記軸筒本体との間にスリットを形成する、
ことを特徴とする筆記具。
【請求項２】
前記第１仮想切断面が、下方に向かって緩やかな凸状に湾曲する曲面状に形成されている、
ことを特徴とする請求項１に記載の筆記具。
【請求項３】
前記第２仮想切断面が、前記軸心を含むほぼ平面状に形成されている、
ことを特徴とする請求項１又は２に記載の筆記具。
【請求項４】
前記付勢部材は、前記クリップ部の外周面及び前記軸本体の外周面のうちの、前記揺動中心よりも下方に位置する部分に嵌められた環状の弾性部材によって構成されている、
ことを特徴とする請求項１ないし３のいずれか１項に記載の筆記具。
【請求項５】
前記クリップ部の揺動動作をガイドするガイド部を設けた、
ことを特徴とする請求項１ないし４のいずれか１項に記載の筆記具。
【請求項６】
前記軸筒がほぼ円筒状に形成されている、
ことを特徴とする請求項１ないし５のいずれか１項に記載の筆記具。
【請求項７】
前記スリットが衣服のポケットに係合可能な幅を有し、前記クリップ部がポケットクリップとして使用される、
ことを特徴とする請求項１ないし６のいずれか１項に記載の筆記具。
【発明の詳細な説明】
【技術分野】
【０００１】
本発明は、衣服のポケット等に装着するためのポケット部を備えた筆記具に関する。
【背景技術】
【０００２】
シャープペンシルやボールペン等の筆記具には、普通、ポケットクリップが設けられている（例えば、特許文献１参照）。このポケットグリップは、棒状に形成されていて、軸筒やキャップの外周面から突出する（出っ張る）ようにして、外周面の母線に沿って設けられている。ポケットクリップは、使用に際しては、背広やワイシャツ等の衣服（例えば、背広やワイシャツ）のポケットの端部（上端）を、軸筒やキャップの外周面との間に挟み込むようにして使用する。
【特許文献１】特開２００３−７２２８２号公報
【発明の開示】
【発明が解決しようとする課題】
【０００３】
しかしながら、上述のような筆記具においては、ポケットクリップが軸筒やキャップから出っ張っているために、以下のような問題があった。
（１）ポケットクリップは、筆記具をポケットに装着する場合に必要であり、それ以外の、例えば、筆記に供される場合等には不要であり、邪魔になる。
（２）例えば、上方が開口された陳列容器に、多数の筆記具を立てて陳列するような場合、ポケットクリップが出っ張っていて、スペースをとる分、陳列本数が少なくなる。
（３）筆記具の外周面に文字や図柄をグラフィック処理する場合、ポケットクリップに邪魔されて、連続した文字や図柄が寸断されてしまうおそれがある。
（４）シンプルなデザインが求められるような場合に、美称性に劣る。
【０００４】
そこで、本発明は、ポケットクリップが、筆記動作時や陳列時や文字等の表現時に邪魔になったりすることがなく、また、デザイン的にも優れた筆記具を提供することを目的とするものである。
【課題を解決するための手段】
【０００５】
請求項１に係る発明は、衣服のポケットに装着するためのクリップ部を有する筆記具に関する。
この発明に係る筆記具は、軸心を中心としてほぼ筒状に形成された軸筒と、前記軸心上に配設されるとともに前記軸筒の下端から突出する筆記部によって筆記が可能な筆記ユニットと、を備え、
前記軸筒は、その上端部を、外周面の前側から前記軸心に向かって後方斜め上方に切り上げる第１仮想切断面と前記第１仮想切断面の上端からほぼ上方に向かって切り上げる第２仮想切断面とによって切除されたような形状の前記クリップ部と、前記クリップ部以外の軸筒本体とを有し、
前記クリップ部の上端側の揺動中心を前記軸筒本体の上端側によって揺動可能に支持し、
前記クリップ部側を、その切断面が前記軸筒側の切断面に接触するホームポジションに向けて付勢する付勢部材を設け、
前記クリップ部における前記揺動中心よりも上方に位置する部分を後方に引いたときに前記クリップ部の下端側が前記付勢部材の付勢力に抗して前方に移動し前記クリップ部の下端側と前記軸筒本体との間にスリットを形成する、
ことを特徴としている。
【０００６】
請求項２に係る発明は、請求項１に係る筆記具において、前記第１仮想切断面が、下方に向かって緩やかな凸状に湾曲する曲面状に形成されている、ことを特徴としている。
【０００７】
請求項３に係る発明は、請求項１又は２に係る筆記具において、前記第２仮想切断面が、前記軸心を含むほぼ平面状に形成されている、ことを特徴としている。
【０００８】
請求項４に係る発明は、請求項１ないし３のいずれか１項に係る筆記具において、前記付勢部材は、前記クリップ部の外周面及び前記軸本体の外周面のうちの、前記揺動中心よりも下方に位置する部分に嵌められた環状の弾性部材によって構成されている、ことを特徴としている。
【０００９】
請求項５に係る発明は、請求項１ないし４のいずれか１項に係る筆記具において、前記クリップ部の揺動動作をガイドするガイド部を設けた、ことを特徴としている。
【００１０】
請求項６に係る発明は、請求項１ないし５のいずれか１項に係る筆記具において、前記軸筒がほぼ円筒状に形成されている、ことを特徴とする。
【００１１】
請求項７に係る発明は、請求項１ないし６のいずれか１項に係る筆記具において、前記スリットが衣服のポケットに係合可能な幅を有し、前記クリップ部がポケットクリップとして使用される、ことを特徴としている。
【発明の効果】
【００１２】
請求項１の発明によると、クリップ部における揺動中心よりも上方に位置する部分を後方に引いて、軸筒本体とクリップ部との間にスリットを形成し、衣服のポケットの端部をこのスリットに挿入することにより、筆記具をポケットに装着することができる。また、クリップ部は、筆記具をポケットに装着しない状態においては、軸筒と一体化されて、軸筒の外周面から外方に出っ張らないので、取り扱い上、不要に引っかかったりすることがなく、また、例えば、多数の筆記具を所定の容器に立てて陳列するような場合に、その所定の容器ないに多数の筆記具を収納することができる。さらに、軸筒の外周面からの出っ張りがないので、例えば、外周面に文字や図柄を表現する際に、これらの連続性が妨げられることがなく、また、シンプルさを求めるデザインにおいては、美称性に優れたものとすることができる。
さらにまた、上述のスリットに素早くコピー紙や紙幣等の紙の端部を挿入することにより、見る角度によっては、あたかも筆記具を紙に突き刺したかのように見えるので、意外性やマジック性を発揮させることができる。
【００１３】
請求項２の発明によると、第１仮想切断面が、下方に向かって緩やかな凸状に湾曲しているので、スリットに紙の端部を挿入した際に、実際に筆記具を紙に突き刺した状態に近似して見える。
【００１４】
請求項３の発明によると、第２仮想切断面が、ほぼ軸心を含む平面状に形成されているので、スリットに紙の端部を挿入した際に、軸心上に配設されている筆記ユニットによって紙の挿入動作が大きく阻害されるおそれがない。
【００１５】
請求項４の発明によると、簡単な構成で、クリップ部をホームポジションに向けて付勢することができる。
【００１６】
請求項５の発明によると、ガイド部を設けることにより、クリップ部の揺動動作を確実で、円滑なものとすることができる。
【００１７】
請求項６の発明によると、軸筒本体とクリップ部とを有する軸筒がほぼ円筒状に形成されていて、外周面に不要な凹凸がないので、外周面に文字や図柄を表現する好適である。
【００１８】
請求項７の発明によると、クリップ部をポケットクリップとしても兼用することができるので、専用のポケットクリップを設ける必要がなく、構造が簡単になるとともに、デザイン上も優れたものとすることができる。
【発明を実施するための最良の形態】
【００１９】
以下、本発明の最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞
【００２０】
図１〜図５を参照して、本実施形態に係る筆記具１について説明する。ここで、図１は、筆記具１を正面側（前側）の右斜め上方から見た分解斜視図である。図２は、クリップ部１０Ａが閉じられた状態を示す図であり、（ａ）は正面図（前面図），（ｂ）は上面図，（ｃ）は下面図，（ｄ）は右側面図，（ｅ）は背面図（後面図），（ｆ）は筆記具１を（ａ）のＡ−Ａ線で切って示す断面図である。図３は、クリップ部１０Ａが開放された状態を示す図であり、（ａ）は正面図（前面図），（ｂ）は上面図，（ｃ）は下面図，（ｄ）は右側面図，（ｅ）は背面図（後面図），（ｆ）は筆記具１を（ａ）のＡ−Ａ線で切って示す断面図である。図４は、筆記具１が紙Ｐに突き刺されたように見える状態を説明する斜視図である。図５は、筆記具１が紙Ｐに突き刺されたように見える状態を説明する図であり、（ａ）は正面図、（ｂ）は上面図、（ｃ）は右側面図である。なお、筆記具１についての上下前後左右は、図１中の左上に矢印で示す方向に従うものとする。
【００２１】
図１に示すように、筆記具１は、軸筒１０と筆記体（筆記ユニット）２０とを備えている。軸筒１０は、上端側でかつ前側に位置するクリップ部１０Ａと、このクリップ部以外の部分である軸筒本体１０Ｂとに２分割されていて、これらが組み合わされた状態で軸心Ｃを基準としてほぼ円筒状に形成されている。
【００２２】
ここで、まず、クリップ部１０Ａと軸筒本体１０Ｂとが組み合わされた状態の軸筒１０について説明する。
【００２３】
軸筒１０は、下端側に下筒部１１を有し、上端側に上筒部１２を有し、これら下筒部１１と上筒部１２との間に首部１３を有し、さらに、上筒部１２の上方に環状部１４を有している。
【００２４】
下筒部１１は、ほぼ円筒状に形成されていて、軸芯Ｃを基準とした内周面１１ａの内径及び外周面１１ｂの外径は、他の部分の内径や外径、すなわち上筒部１２，首部１３，環状部１４の内径や外径よりも大きく設定されている。下筒部１１の下端には、開口部１１ｃが形成されていて、内周面１１ａのうちの開口部１１ｃ近傍に位置する部分には、雌ねじ１１ｄ（図２（ｆ）参照）が螺刻されている。この雌ねじ１１ｄには、後述する筆記体２０の先端側の雄ねじ２１ｄが螺合されている。下筒部１１の上端は、首部１３の下端側に連続している。
【００２５】
上筒部１２は、ほぼ円筒状に形成されていて、軸心Ｃを基準とした内周面１２ａの内径及び外周面１２ｂの外径は、下筒部１１のそれらよりも小さく設定されている。上筒部１２の上端には開口部１２ｃが形成されていて、この開口部１２ｃに乗っかるように環状部１４が配置されている。上筒部１２の下端は、首部１３の上端に連続している。
【００２６】
首部１３は、内周面１３ａの内径が上筒部１２の内周面１２ａの内径よりもさらに小さく設定されていて、この内周面１３ａによって、後述する筆記体２０の芯タンク２２の上端側を保持している。首部１３の外周面１３ｂには、全周にわたって環状凹部１３ｃが形成されている。この環状凹部１３ｃは、軸心Ｃを含む平面で切断したときの断面形状がほぼ半円形に形成されていて、付勢部材としての輪ゴム（環状の弾性体）１５が嵌められている。
【００２７】
環状部１４は、軸心Ｃを含む平面で切断したときの断面形状がほぼ長方形状に形成されていて、内周面１４ａの内径は、上筒部１２の内周面１２ａの内径と同じに設定されている。環状部１４の外周面１４ｂの外径は、下筒部１１の外周面１１ｂの外径よりも小さく、かつ上筒部１２の外周面１２ｂの外径よりも大きく設定されている。外周面１４ｂにおける左側及び右側に位置する部分には、凹部１４ｃ形成されていて、この凹部１４ｃには、後述するキャップ１６の内壁（不図示）の上端側の一部が係合されている。なお、環状部１４は、図１に示すように、クリップ部１０Ａの一部として構成されている。
【００２８】
以上で、クリップ部１０Ａと軸筒本体１０Ｂとが組み合わされた状態の軸筒１０についての説明を終える。
【００２９】
上述の上筒部１２及び環状部１４には、キャップ１６が被せられている。キャップ１６は、内周面１６ａ（図２（ｆ）参照）の内径が、環状部１４の外周面１４ｂの外径とほぼ同じに設定されていて、上筒部１２の外周面１２ｂの外径よりも少し大きく設定されている。そして、キャップ１６は、内周面１６ａにおける上端側の部分が環状部１４の外周面１４ｂに嵌合されている。つまり、キャップ１６の内周面１６ａと上筒部１２の外周面１２ｂとの間には、適度な間隙Ｇが形成されていて、これにより、図３（ｆ）に示すように、クリップ部１０Ａの揺動動作を可能にしている。キャップ１６の上端には、透孔１６ｃが形成されていて、この透孔１６ｃには、筆記体２０の芯タンク２２の上端側が下方から上方に向かって貫通していて、その一部が突出されている。この突出部分には、ノックキャップ１７の下端側が嵌合されている。
【００３０】
上述の軸筒１０は、図１に示すように、第１仮想切断面Ｐ１と第２仮想切断面Ｐ２とによってクリップ部１０Ａと軸筒本体１０Ｂとに２分割されている。第１仮想切断面Ｐ１は、下筒部１１の上下方向の中央よりも上側において外周面１１ｂの前側から軸心Ｃに向かって後方斜め上方に切り上がるような面となっている。なお、この第１仮想切断面Ｐ１は、平面状とすることも可能ではあるが、本実施形態では、下方に向かって緩やかな凸状に湾曲する曲面状となっている。この第１仮想切断面Ｐ１は、ポケットクリップとしてのクリップ部１０Ａの下端側の形状を決定するものであり、上述のような曲面状とすることで、後述のように、クリップ部１０Ａを衣服のポケット（不図示）に円滑に差し込むことができる。また、後述するように、筆記具１を手品の小道具として使用する場合には、スリットＳに紙Ｐを挿入した際に、筆記具１がよりリアリティを持って紙Ｐを貫通したかのように見えるようになる。
【００３１】
第２仮想切断面Ｐ２は、第１仮想切断面Ｐ１の上端から第１仮想切断面の接線方向（ほぼ上方）に向かって切り上がるような平面となっている。本実施形態では、この第２仮想切断面Ｐ２は、ほぼ軸心Ｃを含む平面状に形成されている。つまり、第２仮想切断面Ｐ２は、軸筒１１の上端側をほぼ前側と後側とに２分するような面となっている。このように、第１仮想切断面Ｐ１が下方に向かって緩やかな凸状に形成され、さらに、第２仮想切断面Ｐ２が第１仮想切断面Ｐ１に滑らかに連続している。
【００３２】
上述の軸筒１０は、第１仮想切断面Ｐ１及び第２仮想切断面Ｐ２によって、下筒部１１が下筒前部１１Ａと下筒後部１１Ｂとに分割され、また、上筒部１２が上筒前部１２Ａと上筒後部１２Ｂとに分割され、さらに、首部１３が前首部１３Ａと後首部１３Ｂとに分割されている。ただし、環状部１４は、分割されることなく、上筒前部１２Ａの上端に連続するように一体的に構成されている。つまり、クリップ部１０Ａは、下筒前部１１Ａと上筒前部１２Ａと前首部１３Ａと環状部１４とを有していることになる。なお、上筒後部１２Ｂの上端面と、環状部１４の下端面との間には、クリップ部１０Ａの揺動動作を許容するための間隙（不図示）が設けられている。
【００３３】
ここで、第１仮想切断面Ｐ１及び第２仮想切断面Ｐ２によって切断された面のうち、クリップ部１０Ａ側に属する面を切断面Ａ、軸筒本体１０Ｂ側に属する面を切断面Ｂとすると、これら切断面Ａと切断面Ｂとは、同形に形成されていて、クリップ部１０ＡがホームポジションＨＰ（図２に示す位置）に配置された状態においては、相互に接するようになっている。さらに、切断面Ａ及び切断面Ｂのうちの、第１仮想切断面Ｐ１によって切断された部分は、下方に向かって緩やかに凸状に湾曲する面状に形成され、また、第２仮想切断面Ｐ１によって切断された部分は、上述の湾曲する面状に形成された部分に滑らかに連続する平面状に形成されているので、後述するように、これら切断面Ａと切断面Ｂとの間に形成されるスリットＳに衣服のポケット（不図示）の上端を挿入する際に、円滑に挿入される。
【００３４】
切断面Ｂにおける上端近傍には、１対の係合凹部１０ｂが形成されている。各係合凹部１０ｂは、後方に向けて半円状に窪んでいる。一方、切断面Ａにおける上端近傍には、１対の係合凹部１０ｂに対応する位置に、１対の係合凸部（揺動中心）１０ａ（ただし、図１では一方の係合凸部１０ａのみを図示している。）が突設されている。各係合凸部１０ａは、後方に向けて半円状に突設されている。これら１対の係合凸部１０ａは、１対の係合凹部１０ｂに係合されて、クリップ部１０Ａの揺動動作の支点となっている。すなわち、クリップ部１０Ａは、係合凸部１０ａよりも上方に位置する環状部１４を、輪ゴム１５の付勢力に抗して後方に押圧する（付勢する）と、係合凸部１０ａを基準として、全体が揺動して、下筒前部１１Ａがほぼ前方に移動する。これにより、クリップ部１０Ａ側の切断面Ａが軸筒本体１０Ｂ側の切断面Ｂから離れて、両者間にスリットＳ（図３（ｄ），（ｆ）参照）が形成されるようになっている。このときのスリットＳの幅（切断面Ａと切断面Ｂとの距離）は、後述するポケットや紙Ｐの端部が挿入できる程度に確保されている。クリップ部１０Ａは、環状部１４に対する後方への押圧を解除すると、輪ゴム１５の付勢力により、ホームポジションＨＰに復帰して、その切断面Ａを軸筒本体１０Ｂ側の切断面Ｂに接触させる。実際には、環状部１４には、キャップ１６が嵌合されているので、キャップ１６の上端側を図３（ｄ），（ｆ）に示すように、後方（矢印Ｆ方向）に押圧することで環状部１４を後方に移動させることができるので、これにより、上述のスリットＳを形成することができる。クリップ部１０Ａの下筒前部１１Ａにおける上端側には、ガイド部１０ｃが後方に向けて突設されている。このガイド部１０ｃは、クリップ部１０Ａが揺動動作する際に下筒後部１１Ｂの内周面１１ａに摺擦されるように移動することにより、クリップ部１０Ａの揺動動作が円滑に行われるようにしている。
【００３５】
上述した軸筒１０に対して、筆記体２０は、軸筒１０の軸心Ｃ上に配設されている。筆記体２０は、下端側に配置された先部材２１と、その上端から上方に延びる芯タンク２２とによって構成されている。
【００３６】
先部材２１は、下半部に円錐部２１ａを有し、上半部に円柱部２１ｂを有しており、円錐部２１ａの先端（下端）には、細い円筒状の芯戻り防止部２１ｃが突設されている。また、円柱部２１ｂの下端側には、雄ねじ２１ｄが螺刻されており、この雄ねじ２１ｄは、上述の下筒部１１の雌ねじ１１ｄに螺合されている。先部材２１の内側には、上述のノックキャップ１７の押圧動作（ノック動作）に基づく芯タンク２２の上下動によって、シャープペンシルの筆記部となる芯（不図示）を芯戻り防止部２１ｃから所定量だけ突出させる、周知の芯出し機構（不図示）が配設されている。芯タンク２２は、細長い円筒状に形成されていて、内側には、芯が収納されている。芯タンク２２の上端側は、軸筒１０側の首部１３の内周面１３ａによって支持され、さらにキャップ１６の上端から上方に突出される突出部分には、ノックキャップ１７の下端側が嵌合されている。
【００３７】
筆記体２０全体は、ノックキャップ１７を下方に押圧することにより、芯戻り防止部２１ｃの先端から芯を所定量だけ突出させるようになっている。
【００３８】
上述構成の筆記具１は、普通のシャープペンシルと同様に筆記を行うことができる上、クリップ部１０Ａを、ポケットクリップとして使用することができる。すなわち、軸筒１０の下筒部１１を指で挟んだ状態で、さらに、キャップ１６の前側上部を図３（ｄ），（ｆ）に矢印Ｆで示すように後方に押圧すると、クリップ部１０Ａが係合凸部１０ａを基準として揺動し、軸筒本体１０Ｂの切断面Ｂと、クリップ部１０Ａの切断面Ａとの間にスリットＳが形成される。この、スリットＳを形成した状態を維持したまま、衣服のポケット（不図示）の内側に軸筒本体１０Ｂを差し込み、スリットＳにポケットの上端を挿入し、クリップ部１０Ａがポケットの外側に位置するようにする。そして、手を離すと、輪ゴム１５によってホームポジションＨＰに向けて付勢されたクリップ部１０Ａがポケットを適度な弾性力をもって挟持する。つまり、クリップ部１０Ａは、普通のポケットクリップと同様に作用して、筆記具１をポケットに引っ掛けることができる。筆記具１をポケットから引き抜く際には、普通のポケットクリップを有する筆記具と同様に、筆記具１の上端側、例えば、キャップ１６を指で摘んで上方に引き上げれば、筆記具１を簡単に引き抜くことができる。
【００３９】
また、本実施形態においては、クリップ部１０Ａの下筒前部１１の外周面１１ｂ及びキャップ１６の外周面１６ｂが、軸筒本体１１の外周面１１ｂの上方への延長面上に位置するように構成されている。つまり、軸筒１１とキャップ１６とを合わせた状態においてほぼ円筒状に形成されていて、これらの外周面１１ｂ，１６ｂから、普通のポケットクリップ等の突出するものがないので、造形的にスッキリしたデザインとすることができ、また、外周面１１ｂ，１６ｂに文字や図柄を表現する（例えば、印刷する）際に、出っ張りがある場合と比較して、印刷が容易で、かつ、出っ張りによって寸断されることのない連続的な図柄等を表現することが可能である。
【００４０】
さらに、本実施形態の筆記具１は、手品の小道具としても使用することができる。すなわち、軸筒１０の下筒部１１を指で挟んだ状態で、さらに、キャップ１６の前側上部を図３（ｄ），（ｆ）に矢印Ｆで示すように後方に押圧すると、クリップ部１０Ａが係合凸部１０ａを基準として揺動し、軸筒本体１０Ｂの切断面Ｂと、クリップ部１０Ａの切断面Ａとの間にスリットＳが形成される。この状態で、素早くコピー用紙，紙幣等の紙Ｐの端部をスリットＳに挿入する。すると、図４，図５（ａ），（ｂ），（ｃ）に示すように、あたかも、筆記具１が紙Ｐに突き刺さったように見える。そして、今度は、紙Ｐから筆記具１を素早く引き抜く。すると、筆記具１が突き刺さって孔があいているはずの紙Ｐには孔の痕跡が残らない。つまり、意外性，マジック性を発揮することができる。
この際、本実施形態に係る筆記具１は、第１仮想切断面Ｐ１が緩やかに湾曲した曲面状に形成され、第２仮想切断面Ｐ２が第１仮想切断面Ｐ１の上端に接線方向に向いて連続しているので、スリットＳに紙Ｐの端部を挿入する際に円滑に挿入することができる。また、挿入した後には、より現実味を持って筆記具１が紙Ｐを突き刺しているように見せることができる。
【００４１】
上述では、軸筒部１１やキャップ１６が円筒状である場合について説明したが、これに代えて、正六角形や正八角形の角筒状や、軸心に直交する形状が楕円形の筒状に形成してもよい。
＜実施形態２＞
【００４２】
図６を参照して、本発明に係る筆記具２の実施形態２を説明する。図６は、クリップ部１０Ａが閉じられた状態を示す図であり、（ａ）は正面図（前面図），（ｂ）は上面図，（ｃ）は下面図，（ｄ）は右側面図，（ｅ）は背面図（後面図），（ｆ）は筆記具２を（ａ）のＢ−Ｂ線で切って示す断面図である。
【００４３】
上述の実施形態１では、筆記具１がシャープペンシルである場合について説明したが、本実施形態では、筆記具２がボールペンである場合について説明する。なお、本実施形態２に係る筆記具２のうち、筆記体（筆記ユニット）３０以外の構成、すなわち、軸筒１０，クリップ部１０Ａ，軸筒本体１０Ｂ，輪ゴム１５，キャップ１６，ノックキャップ１７等の構成については、実施形態１の構成と同様であるので同じ符号を付して、説明を省略する。
【００４４】
筆記体３０は、下端側に先部材３１及びインクカートリッジ３２，上端側にロッド３３，これらの中間に回転芯出し機構３４を有している。先部材３１は、下筒部１１の下端の開口部１１ｃ近傍における内周面１１ａに螺合されていて、円錐部３１ａを開口部１１ｃの下方に突出させている。先部材３１の中心には、上下方向に透孔３１ｂが貫通されていて、この透孔３１ｂには、インクカートリッジ３２の先端側が貫通されている。インクカートリッジ３２は、先端にボールペンチップ（筆記部）３２ａを有していて、このボールペンチップ３２ａが先部材３１の先端から突出している。ロッド３３は、その上端側がノックキャップ１７に嵌合され、下端側が回転芯出し機構３４の上端に係合されている。回転芯出し機構３４は、ロッド３３とインクカートリッジ３２との間に介装されている。回転芯出し機構３４は、周知の機構であり、ノックキャップ１７の押下に伴うロッド３３の下降により、インクカートリッジ３２を押し下げて、ボールペンチップ３２ａを先部材３１から突出させ、次のノックキャップ１７の押下によってボールペンチップ３２ａを退避させる（引っ込ませる）ようになっている。
【００４５】
本実施形態に係る筆記具２においては、筆記体３０のうち回転芯出し機構３４は、その外径が他のインクカートリッジ３２やロッド３３よりも大きい大径部３４ａを有していて、この大径部３４ａがクリップ部１０Ａを避けるように、クリップ部１０Ａよりも下方に配置されている。その理由は、上下方向の位置関係について、大径部３４ａとクリップ部１０Ａの少なくとも一部がオーバーラップしていた場合には、実施形態１で説明したように、スリットＳにポケットの端部（あるいは紙Ｐの端部）を挿入する際に、その端部が大径部３４に引っかかったり、大きく湾曲したりして、挿入が円滑に行われなくなるからである。
【００４６】
本実施形態においても、筆記具２は、実施形態１の筆記具１と同様の作用効果を奏することができる。すなわち、ボールペンとして筆記に供されることはもちろん、クリップ部１０Ａをポケットクリップとして流用することができ、また、意外性及びマジック性のある手品の小道具としても使用することができる。
【図面の簡単な説明】
【００４７】
【図１】図１〜図５は、実施形態１の筆記具１を説明する図であり、このうち図１は、筆記具１を正面側（前側）の右斜め上方から見た分解斜視図である。
【図２】クリップ部１０Ａが閉じられた状態を示す図であり、（ａ）は正面図（前面図），（ｂ）は上面図，（ｃ）は下面図，（ｄ）は右側面図，（ｅ）は背面図（後面図），（ｆ）は筆記具１を（ａ）のＡ−Ａ線で切って示す断面図である。
【図３】クリップ部１０Ａが開放された状態を示す図であり、（ａ）は正面図（前面図），（ｂ）は上面図，（ｃ）は下面図，（ｄ）は右側面図，（ｅ）は背面図（後面図），（ｆ）は筆記具１を（ａ）のＡ−Ａ線で切って示す断面図である。
【図４】筆記具１が紙Ｐに突き刺されたように見える状態を説明する斜視図である。
【図５】筆記具１が紙Ｐに突き刺されたように見える状態を説明する図であり、（ａ）は正面図、（ｂ）は上面図、（ｃ）は右側面図である。
【図６】実施形態２の筆記具２において、クリップ部１０Ａが閉じられた状態を示す図であり、（ａ）は正面図（前面図），（ｂ）は上面図，（ｃ）は下面図，（ｄ）は右側面図，（ｅ）は背面図（後面図），（ｆ）は筆記具２を（ａ）のＡ−Ａ線で切って示す断面図である。
【符号の説明】
【００４８】
１          筆記具（シャープペンシル）
２          筆記具（ボールペン）
１０        軸筒
１０Ａ      クリップ部
１０Ｂ      軸筒本体
１０ａ      係合凸部（揺動中心）
１０ｂ      係合凹部
１０ｃ      ガイド部
１１        下筒部
１１ｂ      下筒部の外周面（軸筒の外周面）
１２        上筒部
１３        首部
１４        環状部（揺動中心よりも上方に位置する部分）
１５        輪ゴム（環状の弾性体、付勢部材）
３２ａ      筆記部
Ａ          クリップ部側の切断面
Ｂ          軸筒本体側の切断面
Ｃ          軸心
Ｐ１        第１仮想切断面
Ｐ２        第２仮想切断面
Ｓ          スリット
【図１】
2010000603.tif 000003
【図２】
2010000603.tif 000004
【図３】
2010000603.tif 000005
【図４】
2010000603.tif 000006
【図５】
2010000603.tif 000007
【図６】
2010000603.tif 000008